(57)【特許請求の範囲】
【請求項１】
それぞれの端部でホースに接続される第１のコネクタ及び第２のコネクタを備え、前記第１のコネクタは前記第２のコネクタの第２のねじ部に螺合する第１のねじ部を含み、前記第２のコネクタは長手軸に沿って同軸にかつ前方に前記第１のコネクタを貫通することにより、前記迅速連結型結合具が完全螺合位置にあるとき流体が一方のホースから他方のホースに前記迅速連結型結合具を通過するのを可能にし、前記第１のコネクタは外ケースを含む一方前記第２のコネクタは外体を含む、迅速連結型結合具であって、
前記第１のコネクタは、前記外ケースと一体であり前記長手軸に沿って配設された少なくとも１つの案内軌道体、前記外ケースと共軸に摺動可能に装着されて前記少なくとも１つの案内軌道体に沿って摺動するのに好適である摺動環、及び前記外ケースに螺合しかつ前記摺動環が前記少なくとも１つの案内軌道体に沿って軸方向に摺動するのを可能にする弛み位置から推移するのに好適である螺合環を含み、前記摺動環は前記第２のコネクタに面する前記摺動環の環状端部から延在する少なくとも１つの歯部を含み、
前記第２のコネクタは前記外体を軸方向に装着した係止環を含み、該係止環は前記外体を回転可能に装着すると共に前記係止環は前記長手軸を中心として回転し、前記係止環は前記第１のコネクタに面する前記係止環の環状端部から延在する少なくとも１つの収容部を含み、前記少なくとも１つの歯部は前記迅速連結型結合具の前記完全螺合位置で前記少なくとも１つの収容部に当接し、
前記螺合環は前記摺動環に抗して螺合され、該螺合環は前記案内軌道体に沿って摺動する前記摺動環を押動し、前記摺動環は該摺動環の前記少なくとも１つの歯部を前記係止環の前記少なくとも１つの収容部中に押動する、ことを特徴とする迅速連結型結合具。
【請求項２】
前記第１のコネクタの前記第１のねじ部は、前記第２のコネクタの前記第２のねじ部に同相に螺入され、前記少なくとも１つの歯部は前記迅速連結型結合具の前記完全螺合位置で前記少なくとも１つの収容部と整合されることを特徴とする、請求項１に記載の迅速連結型結合具。
【請求項３】
前記第１のコネクタの前記第１のねじ部は前記第２のコネクタの前記第２のねじ部のピッチと同相のピッチを含み、前記迅速連結型結合具の前記完全螺合位置で前記少なくとも１つの歯部は前記少なくとも１つの収容部と整合されることを特徴とする、請求項１または２に記載の迅速連結型結合具。
【請求項４】
前記係止環は前記第２のコネクタの前記第２のねじ部を含み、前記長手軸を中心として回転する前記係止環は前記第１のコネクタを前記第２のコネクタに螺合することにより、前記迅速連結型結合具は螺合開始位置に対応する前記第２のコネクタとの前記第１のコネクタの第１の係合位置から前記迅速連結型結合具の完全螺合位置に対応する前記第２のコネクタとの前記第１のコネクタの完全係合位置まで推移するのが可能になる、請求項１〜３のうちいずれか一項に記載の迅速連結型結合具。
【請求項５】
前記係止環は、前記第２のコネクタの前記外体を装着した軸受上を摺動しながら前記長手軸を中心として回転することを特徴とする、請求項１〜４のうちいずれか一項に記載の迅速連結型結合具。
【請求項６】
前記外体は、前記軸受に対して適所に摺動可能に前記係止環を維持するための保持環を装着することを特徴とする、請求項５に記載の迅速連結型結合具。
【請求項７】
前記第２のコネクタは前記第１のコネクタに接近する方向に延在する本体を含み、該本体は前記外体の直径よりも大きい直径を有し、前記第２のコネクタの前記軸受に対して適所に前記係止環を維持するのに適合した段差を創成することを特徴とする、請求項５に記載の迅速連結型結合具。
【請求項８】
前記第１のコネクタの前記外ケースは前記少なくとも１つの案内軌道体を装着する少なくとも１つの軸方向溝を含むことを特徴とする、請求項１〜７のうちいずれか一項に記載の迅速連結型結合具。
【請求項９】
前記少なくとも１つの案内軌道体は前記第１のコネクタの前記外ケースと一体構成であることを特徴とする、請求項１〜８のうちいずれか一項に記載の迅速連結型結合具。
【発明の詳細な説明】
【技術分野】
【０００１】
本発明は、螺合解除式迅速連結型結合具に関する。
【背景技術】
【０００２】
先行技術による迅速連結型結合具は、雄コネクタと同軸に摺動可能に係合し得る雌コネクタを備えている。各コネクタは可撓性ホースに係合する結合具を備えている。可撓性ホースは迅速連結具を用いた水圧機械の動作中に振動及び捻れを生じる。コネクタ結合具に連結された可撓性ホースの振動は強力であるため、所与の使用期間後には迅速連結型結合具の雄コネクタからの雌コネクタの脱離を引起こすことにより水圧液の不都合な流量減少を招き得る。
【０００３】
可撓性ホースの振動による迅速連結型結合具の断路を回避させた、雌コネクタ外ケース中に取得される複数の収容部に装着した複数の球体を実装した迅速連結具が存在し、あるいは特許文献１中等の、球体ではなく複数のガスケットを使用した迅速連結具が存在する。この特許文献１は、複数の環状体セクタから成る複数の停止用ガスケットを収容するように適合した複数の収容部を含む外ケースから成る雌コネクタを備えた迅速連結型結合具について記載している。
【先行技術文献】
【特許文献】
【０００４】
【特許文献１】欧州特許出願公開第２３６９２１４号明細書
【発明の概要】
【発明が解決しようとする課題】
【０００５】
不都合なことに、振動が過度に強まり可撓性ホースの捻れも関与し始めると、断路が先行技術の迅速連結型結合具に生じる。迅速連結具コネクタに接続された可撓性ホースの捻れは迅速連結型結合具の分離の最大原因である。増大角度の片撚りは、機械の短時間使用後であっても迅速連結型結合具に断路を生じるのに十分である。特に、可撓性ホースの強力な捻り力または特に大きい角度の力は、迅速連結型結合具の接続部を破壊させる。
【０００６】
別の迅速連結具は、雄コネクタ及び雌コネクタ間に結合具を係止するために、圧力による停止要素維持用の戻しばねを備えている。このような戻しばねは寸法が大きいとばねを手動動作させて停止要素の動作を係止し得ないことから、大型の迅速連結型結合具に使用するときには不都合である。
【０００７】
本発明の目的は、確実であって迅速連結型結合具のそれぞれのコネクタの結合具に接続された可撓性ホースの捻れ及び振動の両者の増大による分離が生じにくく、脈動及び急激な引張り力に耐え、離脱することなく極めて強力な液体流に耐え、破壊せずに、操作可能であり手動による係止が容易である螺合解除式迅速連結型結合具を提供することにある。
【課題を解決するための手段】
【０００８】
本発明によれば、そのような目的は請求項１に記載の迅速連結型結合具により達成される。
【０００９】
本発明のこれらの及び他の特徴は添付の図面中に非限定的実施例によって示した、本発明の実際の実施形態の以下の詳細な説明からより明らかになるであろう。
【図面の簡単な説明】
【００１０】
【図１】図１は迅速連結型結合具の雌コネクタを連結軸に沿って示す。
【図２】図２は迅速連結型結合具の雄コネクタを連結軸に沿って示す。
【図３】図３は分離位置での、図１中線のＩＩＩ―ＩＩＩに従った雌コネクタの断面図を示す。
【図４】図４は迅速連結型結合具の分離位置での、図２中線ＶＩ―ＶＩに従った雄コネクタの断面図を示す。
【図５】図５は迅速連結型結合具の分離位置での、図１中の線Ｖ―Ｖに従った雌コネクタの断面図を示す。
【図６】図６は迅速連結型結合具の分離位置での、図２中線ＶＩ―ＶＩに従った雄コネクタの断面図を示す。
【図７】図７は図３中の線ＶＩＩ―ＶＩＩに従った雌コネクタの断面図を示す。
【図８】図８は雌コネクタが完全弛み位置にある螺合環を有する場合の、図４中の雄コネクタに軸方向に整合された図３中の雌コネクタを示す。
【図９】図９は雌コネクタが完全弛み位置にある螺合環を有する場合の、図４中の雄コネクタに軸方向に整合された図３中の雌コネクタを示す。
【図１０】図１０は雌コネクタが離脱位置にある摺動環を有する場合の、図４中の雄コネクタに軸方向に整合された図３中の雌コネクタを示す。
【図１１】図１１は雌コネクタが離脱位置にある摺動環を有する場合の、図４中の雄コネクタに軸方向に整合された図３中の雌コネクタを示す。
【図１２】図１２は螺合開始位置に対応する、雌コネクタ及び雄コネクタの間の第１の係合位置での迅速連結型結合具を示す。
【図１３】図１３は図１２中の線ＸＩＩＩ―ＸＩＩＩに従った迅速連結型結合具の断面図を示す。
【図１４】図１４は半螺合位置に対応する、雌コネクタ及び雄コネクタの間の第２の係合位置にある迅速連結型結合具を示す。
【図１５】図１５は図１４中の線ＸＶ―ＸＶに従った迅速連結型結合具の断面図を示す。
【図１６】図１６は完全螺合位置に対応する、雌コネクタ及び雄コネクタの間の完全係合位置での迅速連結型結合具を示す。
【図１７】図１７は図１６中の線ＸＶＩＩ―ＸＶＩＩに従った迅速連結型結合具の断面図を示す。
【図１８】図１８は摺動環を係止環との係合位置に係止する係止位置で、雌コネクタの摺動環が雄コネクタの係止環との係合位置にありかつ螺合環が完全螺合位置にある、係合位置の迅速連結型結合具を示す。
【図１９】図１９は迅速連結型結合具の雌コネクタの摺動環の斜視図を示す。
【図２０】図２０は迅速連結型結合具の雄コネクタの係止環の斜視図を示す。
【発明を実施するための形態】
【００１１】
上述の図面、特に図３及び図４を参照して、迅速連結型結合具１は雌コネクタ２及び雄コネクタ３を備え、これらが離脱位置(図３〜図６)から係合位置(図１２〜１８)に互いに切替えられることに留意されたい。
【００１２】
雌コネクタ２は平坦面型である。他の雌コネクタ２、例えば、先行技術に存在するきのこ型または他の型等、も使用可能である。
【００１３】
雌コネクタ２及び雄コネクタ３は、長手軸に沿って互いに同軸に貫通して互いに螺合して迅速連結型結合具１を安定かつ永続的に維持し得る。雌コネクタ２は第１のねじ部２３３を含み、雄コネクタ３は第１のねじ部２３３に螺合する相補形の第２のねじ部３８２を含む。雄コネクタ３は長手軸Ｌに沿って前方に雌コネクタ２を同軸に貫通する。これにより、迅速連結型結合具１が完全螺合位置にあるとき、液体は一方のホースから他方のホースに迅速連結型結合具１を通過可能になる。
【００１４】
雌コネクタ２は、一端２１２が可撓性ホース(図示せず)に接続される中空円筒形の本体２１を含む。本体２１は、雌コネクタ２密閉用の中空円筒形内ケース２２及び雌コネクタ２の中空円筒状外ケース２３を装着する。
【００１５】
外ケース２３は雌コネクタ２の第１のねじ部２３３を含む。第１のねじ部２３３は、雄コネクタ３と螺合するように、外ケース２３外面に提供されて雄コネクタ３方向にある外ケース２３外面の一部に配置される。
【００１６】
密閉用内ケース２２は、雌コネクタ２本体２１の空洞２１０に接続した空洞２２０を含む。密閉用内ケース２２は、この密閉用内ケース２２を半径方向に一体的に固定した雌ロッド部２４を含む。密閉用内ケース２２はこの雌ロッド部２４と一体構成となる。雌コネクタ２の雌ロッド部２４は、空洞２２０で生じた液体流に抗する方向に向いた部分２４２、及び雄コネクタ３に向いた平坦面２４３０付のきのこ形部分２４３を含む。雌ロッド部２４のきのこ形部分２４３の半径方向係止端部２４５は、洗浄ケース２５に対する第１の停止部２４５として機能するように適合している。
【００１７】
雌コネクタ２の洗浄ケース２５は、密閉用内ケース２２外方に軸Ｌに沿って整合されてこれに摺動可能に装着される。洗浄ケース２５は、第１の停止部２４５から密閉用内ケース２２の第２の停止部２２５まで摺動するように適合している。
【００１８】
密閉用内ケース２２は、第１の圧縮ばね７５及び第２の圧縮ばね７６を装着する半径方向外壁２２３を含む。密閉用内ケース２２は、長手軸Ｌに沿って軸方向に整合された洗浄ケース２５を摺動可能に装着する。洗浄ケース２５は第１の圧縮ばね７５に抗するが、この第１の圧縮ばね７５は密閉用内ケース２２上で長手軸Ｌに沿って洗浄ケース２５の摺動動作に抗する。
【００１９】
洗浄ケース２５は、第２の圧縮ばね７６に抗する摺動部２６に軸方向に整合されてこれを摺動可能に装着する。摺動部２６は、外ケース２３内面上を長手軸Ｌに沿って軸方向に整合されて摺動する。
【００２０】
第２の圧縮ばね７６は、摺動部２６を適所に維持する静止位置から、摺動部２６が洗浄ケース２５の停止部２５６まで長手軸Ｌに沿って洗浄ケース２５上を摺動する圧縮位置に切替えられるように適合している。
【００２１】
雌コネクタ２の外ケース２３は、案内軌道体２７を装着する軸方向溝２３０を含む。案内軌道体２７は長手軸Ｌに沿って配置された平行六面体形状を有する。案内軌道体２７は外ケース２３と一体に装着される。案内軌道体２７は外ケース２３外面に装着される。
【００２２】
雌コネクタ２の摺動環２８は、外ケース２３外側に長手軸Ｌに沿って軸方向に整合されて摺動可能に装着されて、摺動環２８の半径方向壁２８７である停止部２８７に当接する案内軌道体２７の一端まで案内軌道体２７上を摺動し得る。図１４に特に示すように、摺動環２８は案内軌道体２７用の案内部２８３として作用するように適合した内向きの溝２８３を含む。
【００２３】
雌コネクタ２の螺合環２９は外ケース２３の外ねじ２３９に螺合される。螺合環２９は外ケース２３の外ねじ２３９に螺合する。外ねじ２３９は外ケース２３の外面に位置付けられる。
【００２４】
摺動環２８は、この摺動環２８の半径方向壁２８７に当接する案内軌道体２７の一端２７８まで案内軌道体２７上を軸方向に摺動する。案内軌道体２７端部２７８は摺動環２８に対する停止部として作用する。
【００２５】
雌コネクタ２の螺合環２９は、一方で案内軌道体２７の端部２７８と接触すると共に他方で摺動環２８と接触して摺動環２８の係止位置を定めるように、摺動環２８の半径方向壁２８７に当接する位置まで長手軸Ｌに沿って螺合する。螺合環２９により摺動環２８は係止位置に好都合に係止可能になる。
【００２６】
螺合環２９は、この螺合環２９内面及び雌コネクタ２の外ケース２３外面の間に取得される収容部２９０を含む。螺合環２９の収容部２９０は、雄コネクタ３に面する螺合環２９の一端部に配置されるため、摺動環２８の半径方向壁２８７に近接して位置付けられる。収容部２９０は「Ｏリング」型防振ガスケット４２を装着し、この防振ガスケット４２により迅速連結型結合具１の操作中にホースの捻れ及び液体流による振動に起因する螺合環２９の弛みの防止が好都合に可能になる。
【００２７】
迅速連結型結合具１の雄コネクタ３は、一端部３１２(図示せず)で可撓性ホースに接続される中空円筒形本体３１を含む。
【００２８】
本体３１は雄コネクタ３の中空円筒形外体３３を装着する。外体３３は延在部３３６を含み、この延在部３３６は、雌コネクタ２を貫通して摺動部２６にしてこれを洗浄ケース２５と当接するまで押動して洗浄ケース２５及び摺動部２６から成る組立体を押圧するように適合する一方、第１の圧縮ばね７５及び第２の圧縮ばね７６はこの動作に抗する。延在部３３６は長手軸Ｌに沿って配置される。
【００２９】
雄コネクタ３は、雄コネクタ３内ケース３２を装着する。
【００３０】
内ケース３２は、雄コネクタ３の本体３１と外体３３とに半径方向に一体的に固定された雄ロッド部３４を含む。雄ロッド部３４は内ケース３２と一体構成である。
【００３１】
雄コネクタ３の雄ロッド部３４は、本体３１空洞３１０中の液体と接触する凸状外面のカップ形部３４１、及び中空であり静止位置から押圧位置への切替えに適合した第３の戻しばね７４を装着した内部３４０を含む。
【００３２】
第３の戻しばね７４はピストン３５を装着し、このピストン３５は雄ロッド部３４内部３４を貫通するように適合したロッド部３５４を含む。ロッド部３５４は第３の戻しばね７４に抗する。
【００３３】
ピストン３５はまた頭部３５２を含み、この頭部３５２は雌コネクタ２雌ロッド部２４の平坦面２４３０に抗するように適合した平坦面３５２０を含む。
【００３４】
頭部３５２は、雄コネクタ３外体３３の延在部３３６を摺動可能に装着する。
【００３５】
雄コネクタ３頭部３５２の平坦面３５２０が雌コネクタ２雌ロッド部２４の平坦面２４３０に接触すると、第３の戻しばね７４が圧縮するにより、頭部３５２が外体３３延在部３３６上を摺動すると共にピストン３５のロッド部３５４が雄ロッド部３４を貫通する。
【００３６】
外体３３は、軸受４８に回転可能に関連付けられた係止環３８を軸方向に装着する。軸受４８は外体３３を一体的に装着する。係止環３８は外体３３を回転可能に装着する。係止環３８は、内部に取得されかつ封塵ガスケット４３の装着に適合した環状収容部３８３を含む。係止環３８は軸受４８上を回転する。
【００３７】
外体３３はまた保持環４１をストローク端に装着することにより、係止環３８を軸受４８上の適所に好都合に摺動可能に維持し得る。保持環４１は係止環３８(図１１)ストローク端壁３８４との間に位置付けられるが、このストローク端壁３８４は本体３１の方向であってかつ雄コネクタ３を装着した可撓性ホースの方向に配置される。
【００３８】
係止環３８は雄コネクタ３の第２のねじ部３８２を含む。このねじ部３８２は雄コネクタ外体３３の外面に面した係止環３８内面に提供される。係止環３８の第２のねじ部３８２は雌コネクタ２の第１のねじ部２３３と相補形であるため、係止環３８を雌コネクタ２の第１のねじ部２３３に螺合することにより、図１２に示す螺合開始位置に対応する雌コネクタ２及び雄コネクタ３の第１の係合位置から図１６に示す迅速連結型結合具１の完全螺合位置に対応する雌コネクタ２及び雄コネクタ３の完全係合位置まで迅速連結型結合具１を切替え得る。螺合中、迅速連結型結合具１は、一例を図１４〜図１５中の半螺合位置に示す、複数の螺合位置から切替わる。
【００３９】
係止環３８は、雄コネクタ３外体３３の軸受４８上を摺動しながら長手軸Ｌを中心として回転する。
【００４０】
係止環３８は、保持環４１により軸受４８上の適所に維持される。
【００４１】
長手軸Ｌを中心とした回転により、雄コネクタ３係止環３８は雌コネクタ２に螺合する。
【００４２】
図３〜４、図１３、図１５、及び図１７〜２０に特に示すように、摺動環２８及び係止環３８はそれぞれ複数の歯部２８８を含み、これらの歯部２８８は対応する相補形の収容部３８８と互いに噛合するように適合している。
【００４３】
雌コネクタ２摺動環２８は、この雄コネクタ３に面する環状端部２８０を含む。複数の歯部２８８は、長手軸Ｌに沿って摺動環２８の環状端部２８０から軸方向に延在する。摺動環２８歯部２８８は、長手軸Ｌに沿って配置される。
【００４４】
係止環３８は雌コネクタ２に面する環状端部３８０を含む。歯部２８８に対する複数の収容部３８８は、長手軸Ｌに沿って軸方向に係止環３８の環状端部３８０上に取得される。係止環２８収容部３８８は長手軸Ｌに沿って配置される。収容部３８８の寸法及び形状は歯部２８８のものと相補形であるため、歯部２８８は収容部３８８に当接し得る。歯部２８８には、歯部２８８壁部及び収容部３８８壁部の間に間隙を許容するように収容部３８８の形状との完全一致を見込んでいない。この間隙により、第１のねじ部２３３が第２のねじ部３８２上に完全に螺合するのが好都合に可能となる。
【００４５】
摺動環２８の各歯部２８８は、係止環３８の歯部収容部３８８中に装着可能である。このフレームは、摺動環２８歯部２８８及び係止環３８歯部３８８用の収容部の間のスナップ式フレームである。
【００４６】
雌コネクタ２の第１のねじ部２３３はこれと相補形である雄コネクタ３の第２のねじ部３８２と同相であるため、雌コネクタ２を雄コネクタ３に螺合させると、歯部２８８は整合され、雌コネクタ２が迅速連結型結合具１の雄コネクタ３に完全に螺合すると収容部３８８に位置することになる。第１のねじ部２３３は第２のねじ部３８２のピッチと同相のピッチを有するため、歯部２８８及び収容部３８８は図１６に示すように迅速連結型結合具１の完全螺合位置に整合される。図１２〜１３に示すように、ねじ部２３３は、螺合回転数が雄コネクタ３及び雌コネクタ２の間に維持されるような箇所に、相補形のねじ部３８２と係合し得る。これにより、螺合が完了したとき歯部２８８及び収容部３８８が互いに整合可能になるため、係止環３８の環状端部３８０及び収容部３８８の表面は、図１６〜１７に示すように摺動環２８の環状端部２８０及び歯部２８８の表面に当接する。
【００４７】
迅速連結型結合具１の操作に関しては、図３〜６から開始して雌コネクタ２及び雄コネクタ３を互いに分離させる。螺合環２９を案内軌道体２７に摺動環２８が係止されるまで完全に螺合させる。
【００４８】
図８〜９に示すように、摺動環２８が解放されるまで螺合環２９を完全に弛める。
【００４９】
螺合環２９を(図１０〜１１に示すように)弛めた後は、摺動環２８は案内軌道体２７の端部２７８及び螺合環２９の間を自由に摺動可能である。
【００５０】
図１２に示すように、歯部２８８及び収容部３８８間の整合を可能にするように、好都合には同相である対応するねじ部２３３及び３８２を介して雌コネクタ２を雄コネクタ３に完全に螺合させる。迅速連結型結合具１は、図１２に示すように第１の螺合位置に対応する第１の係合位置となる。
【００５１】
雌コネクタ２及び雄コネクタ３と間の螺合ステップ中、外体３３延在部３３６は雌コネクタ２を貫通して摺動部２６と押圧接触してこれを洗浄ケース２５に抗して押圧する。螺合ステップを進めると、延在部３３６は摺動部２６及び洗浄ケース２５を押圧し続ける。
【００５２】
雄コネクタ３頭部３５２の平坦面３５２０が雌コネクタ２雌ロッド部２４の平坦面２４３０に接触すると第３の戻しばね７４が圧縮されるため、頭部３５２が外体３３の延在部３３６上を摺動すると共にピストン３５ロッド部３５４が雄ロッド部３４を貫通する。これにより、迅速連結型結合具１を液体が流通し得る。
【００５３】
雌コネクタ第１のねじ部２３３及び雄コネクタ３係止環３８第２のねじ部３８２の螺合ステップが一旦終了すると、迅速連結型結合具１は(図１６に示すように)完全螺合位置となり、一方のホースから他方のホースに迅速連結型結合具１を液体が通過可能になる。
【００５４】
螺合解除係止ステップが提供され、図１８に示すように、摺動環２８に抗して螺合環２９を螺合することを含む。これにより、環状端部３８０表面及び係止環３８収容部３８８表面が環状端部２８０表面及び摺動環２８歯部２８８表面に当接するまで、摺動環２８は案内軌道体２７上を摺動される。歯部２８８は、迅速連結型結合具１の完全螺合位置で収容部３８８に当接することになる。
【００５５】
螺合環２９を摺動環２８に抗して螺合させる。螺合環２９は案内軌道体２７上を摺動する摺動環２８を押動するため、摺動環２８は摺動環２８の歯部２８８を係止環３８の収容部３８８中に押動する。
【００５６】
一旦完全螺合位置になると、案内軌道体２７端部２７８は摺動環２８壁２８７との当接を見込まれていない。
【００５７】
雄コネクタ３の係止環３８のそれぞれの収容部３８８と整合された摺動環２８歯部２８８は、螺合環２９が螺合されると、それぞれの収容部３８８中に導入され、雌コネクタ２及び雄コネクタ３は係止位置に好都合に係止される。このように、迅速連結型結合具１を確実な螺合解除式とし得、迅速連結型結合具１のそれぞれのコネクタ２、３の結合具に接続した可撓性ホースの捻れ及び振動増大の両者による弛みまたは分離が起こりにくくなる。
【００５８】
本発明による迅速連結型結合具１は、離脱または弛み及び破損を被ることなく極めて強力な液体流のみならず脈動及び急激な引張力にも好都合に耐え得る。
【００５９】
雌コネクタ２は第１のコネクタ２と称し得、雄コネクタ３は第２のコネクタと称し得る。
【００６０】
代替例として、雌コネクタ２の外ケース２３はその外面上に一体の案内軌道体２７を含む。案内軌道体２７は、摺動環２８が軸方向に摺動するように長手軸Ｌに沿って軸方向に整合状に配置される。別の代替例は均等構成を含み、この均等構成は摺動環２８が雄コネクタ３の外体３３を軸方向に整合状に摺動可能に装着する一方で軸受４８を介して雌コネクタ２外ケース２を３回転可能に装着した係止環３８を有する。したがって、雄コネクタ３は案内軌道体２７及び螺合環２９を含むことになり、この螺合環２９はこの代替例中雄コネクタ３の外体３３上に提供されるねじ部２３９に螺合される。この代替例では、第１のねじ部２３３は雄コネクタ３の外体３３上に提供されることになり、第２のねじ部３８２は依然、雌コネクタ２の係止環３８上に存在することになる。別の代替例では、雌コネクタ２及び雄コネクタ３は場所が入れ替る、即ち、雄コネクタ３が第１のコネクタ２となる一方、雌コネクタ２が第２のコネクタ３となる。即ち、この別の代替例中では雄コネクタ３である第１のコネクタ２は、螺合環２９、案内軌道体２７、及び摺動環２８を装着するが、この別の代替例中では雌コネクタ２である第２のコネクタ３は係止環３８を装着する。
【００６１】
更なる代替例は、単一の歯部２８８及び単一の収容部３８８を含む。
【００６２】
更なる代替例は、単一の歯部２８８及び複数の収容部３８８から成る収容部３８８を含む。
【００６３】
代替例として、外ケース２３は、この外ケース２３と一体であり長手軸Ｌに沿って配置された複数の案内軌道体２７を含む。
【００６４】
更なる代替例は、保持環４１を含まないが、本体３１の直径及び外体３３の直径の間に段差を提供するように雌コネクタ２の方向により長尺である本体３１を提供する。この段差は、雄コネクタ３の外体３３の軸受４８上の適所に係止環３８を維持するように適合している。雄コネクタ３は第１のコネクタ２の方向に長尺である本体３１を含む。この本体３１は外体３３の直径よりも大きい直径を有するため、雄コネクタ３の軸受４８により適所に係止環３８を維持するように適合した段差を創成する。
【図１】
0006631926.tif 000002
【図２】
0006631926.tif 000003
【図３−４】
0006631926.tif 000004
【図５−６】
0006631926.tif 000005
【図７】
0006631926.tif 000006
【図８−９】
0006631926.tif 000007
【図１０−１１】
0006631926.tif 000008
【図１２】
0006631926.tif 000009
【図１３】
0006631926.tif 000010
【図１４】
0006631926.tif 000011
【図１５】
0006631926.tif 000012
【図１６】
0006631926.tif 000013
【図１７】
0006631926.tif 000014
【図１８】
0006631926.tif 000015
【図１９】
0006631926.tif 000016
【図２０】
0006631926.tif 000017